(57)【要約】【課題】芯柱体周囲への外装体の装着や取外しを容易にした複合柱材を提供する。【解決手段】長手方向に伸びる芯柱体１０と、芯柱体１０にその前側面１１方向から着脱可能に装着されると共に芯柱体１０の前側面１１及び両横側面１２に被覆された略Ｕ字形断面形状の弾性枠体２０と、枠体２０表面に被覆された外装体３０と、芯柱体１０の各横側面１２に穿設された複数の係合溝１７と枠体２０の内側面に芯柱体１０の各係合溝１７に対応して弾発的に突設された複数の係合突起２１とからなり、芯柱体１０へのその前側面１１方向からの枠体２０の装着に伴って枠体２０の各係合突起２１が圧縮されつつそれに対応する芯柱体１０の各係合溝１７に弾発的に着脱可能に嵌合されるようにした係合手段とから構成される。【選択図】　　　　図２
2004124561.tif 000002
【特許請求の範囲】
【請求項１】
長手方向に伸びる芯柱体と、芯柱体にその前側面方向から着脱可能に装着されると共に芯柱体の前側面及び両横側面に被覆された略Ｕ字形断面形状の弾性枠体と、枠体表面に被覆された外装体と、芯柱体の各横側面に穿設された複数の係合溝と枠体の内側面に芯柱体の各係合溝に対応して弾発的に突設された複数の係合突起とからなり、芯柱体へのその前側面方向からの枠体の装着に伴って枠体の各係合突起が圧縮されつつそれに対応する芯柱体の各係合溝に弾発的に着脱可能に嵌合されるようにした係合手段とからなる複合柱材。
【請求項２】
芯柱体の各係合溝が、金属製中空体に形成された芯柱体を構成する板材にその背側面方向に突出する半島状切込みを入れると共に該切込み部を内方に折り曲げて形成された、請求項１に記載の複合柱材。
【請求項３】
枠体の各係合突起が、枠体を構成する板材にその側端方向に突出する半島状切込みを入れると共に該切込み部を内方に折り曲げて形成された、請求項１に記載の複合柱材。
【請求項４】
外装体が天然木の表層部分からなる、請求項１に記載に記載の複合柱材。
【請求項５】
芯柱体の前側面及び／又は両横側面に突設された補助突起と枠体の内側面に芯柱体の各補助突起に対応して穿設された複数の補助孔とからなり、芯柱体へのその前側面方向からの枠体の装着に伴って芯柱体の各補助突起が枠体の各補助孔に着脱可能に嵌合されるようにした補助係合手段を備えた、請求項１に記載に記載の複合柱材。
【請求項６】
枠体の側端とそれに対応する芯柱体の横側面との間に枠体取外し用間隙が設けられた、請求項１に記載の複合柱材。
【請求項７】
芯柱体の背側面に、外装体の両端に隣接するように補助外装体が着脱可能に装着された、請求項１に記載の複合柱材。
【請求項８】
芯柱体の頂部に高さ調節部材が延設された、請求項１、２、５〜７の何れかに記載に記載の複合柱材。
【請求項９】
芯柱体の底部に、半径方向に膨出する台座が設けられた、請求項１、２、５〜８の何れかに記載に記載の複合柱材。
【発明の詳細な説明】
【０００１】
【産業上の利用分野】
本発明は、建築物に使用される柱材、特に多層構造を備えた複合柱材に関する。
【０００２】
【従来の技術】
実開昭５５−１４５６１３号、特開平０１−２４４０５２号、特開平０４−３００６７号及び特開平０９−１３２９５２号の各公報には、芯柱体の周囲に取付け部材を介して化粧用の外装体を装着するようにした複合柱材が開示されている。
しかしながら、従来の前記複合柱材では、外装体の取付け構造が複雑であり、外装体の新設時や交換時等における芯柱体周囲への外装体の装着や取外しに多くの工数を要する問題があった。
【０００３】
【発明が解決しようとする課題】
本発明の課題は、芯柱体周囲への外装体の装着や取外しを容易にした複合柱材を提供することにある。
【０００４】
【課題を解決するための手段】
本発明に係る複合柱材は、長手方向に伸びる芯柱体と、芯柱体にその前側面方向から着脱可能に装着されると共に芯柱体の前側面及び両横側面に被覆された略Ｕ字形断面形状の弾性枠体と、枠体表面に被覆された外装体と、芯柱体の各横側面に穿設された複数の係合溝と枠体の内側面に芯柱体の各係合溝に対応して弾発的に突設された複数の係合突起とからなり、芯柱体へのその前側面方向からの枠体の装着に伴って枠体の各係合突起が圧縮されつつそれに対応する芯柱体の各係合溝に弾発的に着脱可能に嵌合されるようにした係合手段とからなるものである。
【０００５】
前記構成の複合柱材によれば、芯柱体にその前側面方向から枠体が装着されることにより、芯柱体の各横側面に穿設された各係合溝に、枠体の内側面に突設された各係合突起が弾発的に嵌合され、それによって枠体が前記係合手段を介して芯柱体に挟圧固定されると共に芯柱体の周囲がその背側面を残して枠体により被覆されることになる。枠体自体及びその各係合突起は弾性を有するので、芯柱体に対する枠体の挟圧固定は確実であり、また芯柱体からの枠体の脱着も容易に可能である。
【０００６】
前記芯柱体には、柱材としての強度性に優れた材料、例えば金属製の中空体等が好適に使用され、例えば四角形、円形、長円形、半円形、半長円形等の断面形状を有し、枠体と嵌合可能なものが適宜選択される。また、前記枠体には、例えば馬蹄形、半リング形、コの字形等の形状を包含する略Ｕ字形の断面形状を有し、前記芯柱体と嵌合可能な弾性金属製等のものが好適に選択される。
【０００７】
前記外装体には、例えば、天然木の表層部分からなるもの、プラスチック、繊維強化プラスチック、繊維強化コンクリート、セラミックその他の材料が使用可能であり、必要に応じて衝撃吸収性を備えていても良い。天然木の表層部分は、芯材を含む天然木自体と比較して、乾燥や吸湿に伴う内側と外側との膨張率の差及び収縮率の差が小さいので、表面に経時的なひび割れが生じ難い。
【０００８】
前記枠体表面への外装体の固定は、通常は芯柱体への枠体の装着の前に行われるが、必要に応じて芯柱体への枠体の装着の後に行われても良い。前記外装体の固定には、剥離可能又は剥離不能な接着、着脱可能又は着脱不能な係合、或いはねじ止め等の公知接合手段が適宜選択される。
【０００９】
芯柱体の各係合溝としては、例えば、金属製中空体に形成された芯柱体を構成する板材にその背側面方向に突出する半島状切込みを入れると共に該切込み部を内方に折り曲げて形成されたものが好適に使用され、これによれば、芯柱体に傾斜状係合溝を容易に形成することができる。また、枠体の各係合突起としては、例えば、枠体を構成する板材にその側端方向に突出する半島状切込みを入れると共に該切込み部を内方に折り曲げて形成されたものが好適に使用され、これによれば、枠体に弾発性の傾斜状係合突起を容易に形成することができる。また、特に、前記のように形成された傾斜状係合突起及び傾斜状係合溝の採用により、嵌合又は脱着に際して案内機構が継続的に働き、芯柱体に対する枠体の着脱をより円滑に行うことが可能になる。
【００１０】
前記複合柱材は、芯柱体の前側面及び／又は両横側面に突設された補助突起と枠体の内側面に芯柱体の各補助突起に対応して穿設された複数の補助孔とからなり、芯柱体へのその前側面方向からの枠体の装着に伴って芯柱体の各補助突起が枠体の各補助孔に着脱可能に嵌合されるようにした補助係合手段を備えていてもよく、これによって芯柱体に対する枠体の装着状態をより安定に保持することができる。
【００１１】
また、芯柱体から枠体を容易に取り外すことができるように、枠体の側端とそれに対応する芯柱体の横側面との間に、例えばバールや板状のもの等を差し入れて枠体を幾分外側に押し広げるための枠体取外し用間隙が設けられても良い。建築物に使用される前記複合柱材の背側面が建築物内部に隠蔽されずに、不都合に外部に露出される場合は、芯柱体の背側面に、外装体の両端に隣接するように補助外装体が着脱可能に装着されても良い。さらに、前記複合柱材が建築物のサイズに応じてある程度の長さ調節を可能にするために、芯柱体の頂部にねじ送り機構等を用いた高さ調節部材が延設されても良い。また、芯柱体の底部に、枠体の下端を受け止め、或いは枠体下端の下限位置を設定し、また芯柱体に対する枠体の装着に際しての位置合わせを容易にするために、半径方向に膨出する台座が設けられても良い。
【００１２】
【発明の実施の形態】
以下に、本発明を実施例に基づいて具体的に説明する。図１は、本発明の実施例に係る複合柱材の各構成部材を示すものであり、（Ａ）は芯柱体、（Ｂ）は枠体、（Ｃ）は外装体の各斜視図である。図２は、図１に示す各構成部材を組み合わせて得られた複合柱材を示すものであり、（Ａ）は係合手段を通る面で切断した複合柱材の横断面図、（Ｂ）は枠体取外し用間隙と補助係合手段を通る面で切断した複合柱材の横断面図であり、背側面に装着可能な補助外装体の平面図を含んでいる。図３は、外装体固定手段と補助係合手段を通る面で切断した複合柱材の、図２と同様の横断面図である。また、図４は、図１（Ａ）に示す芯柱体の頂部に延設された高さ調節部材の拡大側面図である。
【００１３】
本実施例に係る複合柱材１は、図１（Ａ）に示す芯柱体１０、同図（Ｂ）に示す枠体２０及び同図（Ｃ）に示す外装体３０を図２（Ａ）及び（Ｂ）に示すように重ね合わせて構成されている。
【００１４】
図１（Ａ）及び図２において、芯柱体１０は、短径方向に切断された略半長円形の断面形状を呈すると共に、湾曲した前側面１１、その両側に隣接する平坦な両横側面１２及びそれらの側端に隣接すると共にそれらと略垂直に交わる平坦な背側面１３を有する金属製中空体から構成される。
芯柱体１０の頂部には高さ調節部材１４が延設されると共に前側面１１の側に段差状の切欠き１５が穿設され、底部には円盤状の台座１６が半径方向に膨出するように設けられている。
【００１５】
高さ調節部材１４は、図４に拡大して示すように、上板１４１と、上板１４１下面に着脱可能にねじ１４２で固定された皿部材１４３と、皿部材１４３の底板に貫設された調節ボルト１４４と、調節ボルト１４４にその頭部との間で皿部材１４３底板を挟圧固定するように螺合された固定ナット１４５と、芯柱体１０頂板に貫設された調節ボルト１４４に芯柱体１０頂板を内外から挟圧固定するように螺合された複数の内部固定ナット１４６及び遊動ナット１４７等から構成され、これによれば、内部固定ナット１４６及び遊動ナット１４７に対する調節ボルト１４４の左右回転により芯柱体１０頂板に対する上板１４１の位置を所定の範囲で調節することが可能である。
【００１６】
芯柱体１０の両横側面１２には複数の係合溝１７が穿設されている。前記係合溝１７は、芯柱体１０を構成する板材にその背側面１３方向に突出する半島状長方形切込みを三方に入れると共に該切込み部を内方に折り曲げて傾斜状に形成されている。また、芯柱体１０の前側面１１及び両横側面１２には複数の円錐台形の補助突起１８が突設され、両横側面１２と背側面１３との交差辺に背側面１３の横幅を両横側面１２間の間隔より若干狭く形成することにより生じる凹部１９が設けられている。
【００１７】
次に、図１（Ｂ）及び図２において、枠体２０は、芯柱体１０にその前側面１１から嵌合可能であり、芯柱体１０の前側面１１及び両横側面１２に被覆され得る略Ｕ字形断面形状の弾性金属製板材から構成される。
【００１８】
枠体２０の内側面には芯柱体１０の各係合溝１７に対応して複数の係合突起２１が弾発的に突設され、芯柱体１０へのその前側面１１方向からの枠体２０の装着に伴って枠体２０の各係合突起２１が圧縮されつつそれに対応する芯柱体１０の各係合溝１７に弾発的に着脱可能に嵌合される。前記係合突起２１は、枠体２０を構成する板材にその側端方向に突出する半島状長方形切込みを三方に入れると共に該切込み部を内方に折り曲げて傾斜状に形成されている。前記芯柱体１０の各係合溝１７と枠体２０の各係合突起２１は、協働して本発明における係合手段を構成している。
【００１９】
枠体２０の内側面には芯柱体１０の各補助突起１８に対応して複数の補助孔２２が穿設され、芯柱体１０へのその前側面１１方向からの枠体２０の装着に伴って芯柱体１０の各補助突起１８が枠体２０の各補助孔２２に着脱可能に嵌合される。前記芯柱体１０の各補助突起１８と枠体２０の各補助孔２２は、協働して本発明における補助係合手段を構成している。
【００２０】
枠体２０の湾曲部付近には外装体３０を枠体２０上に被覆、固定させるための複数のねじ止め用止め孔２３が穿設されている。また、枠体２０側端における芯柱体１０の凹部１９に対応する位置に補助外装体装着用孔２４が穿設されている。芯柱体１０の両横側面１２と背側面１３との交差辺に設けられた前記凹部１９は、図２（Ｂ）に示すように、枠体２０側端との間で枠体取外し用間隙２５を形成する。
【００２１】
また、図１（Ｃ）及び図３に示すように、枠体２０表面には天然木の表層部分等からなる外装体３０が枠体２０内側から各止め孔２３を介して止めねじ３１で固定されている。前記止め孔２３と止めねじ３１は、協働して本発明における外装体固定手段を構成している。
【００２２】
芯柱体１０の背側面１３には、図２（Ｂ）に示すように、外装体３０の両端に隣接するように補助外装体３２が必要に応じて着脱可能に装着される。前記補助外装体３２は、外装体３０と同質の湾曲部材からなり、内側中央に配置されたスペーサ３３を介して芯柱体１０の背側面１３に止めねじ３４で固定され、内側の両側端に突設されたフック３５を枠体取外し用間隙２５に挿入すると共に補助外装体装着用孔２４内に弾性的に係合させて、芯柱体１０の背側面１３に装着される。
【００２３】
【発明の効果】
本発明に係る複合柱材は以上のように構成されるので、芯柱体周囲への外装体の装着や取外しを容易にすることができる。
芯柱体の各係合溝が、金属製中空体に形成された芯柱体を構成する板材にその背側面方向に突出する半島状切込みを入れると共に該切込み部を内方に折り曲げて形成され、また枠体の各係合突起が、枠体を構成する板材にその側端方向に突出する半島状切込みを入れると共に該切込み部を内方に折り曲げて形成されたものでは、芯柱体及び枠体に各々傾斜状係合溝及び傾斜状係合突起を容易に形成することができる。
【００２４】
外装体が天然木の表層部分からなるものでは、天然木の外観を呈し、しかも表面に経時的なひび割れが生じ難い複合柱材を提供することができる。
芯柱体の各補助突起が枠体の各補助孔に着脱可能に嵌合されるようにした補助係合手段を備えたものでは、芯柱体に対する枠体の装着状態をより安定に保持することができる。枠体の側端とそれに対応する芯柱体の横側面との間に枠体取外し用間隙が設けられたものでは、これにバールや板状のもの等を差し入れて、芯柱体から枠体を容易に取り外すことができる。
【００２５】
芯柱体の背側面に、外装体の両端に隣接するように補助外装体が着脱可能に装着されたものでは、建築物に使用される複合柱材の背側面を含む全側面を外部に露出することが可能になる。また、芯柱体の頂部に高さ調節部材が延設されたものでは、建築物のサイズに応じて複合柱材の長さ調節をすることができる。さらに、芯柱体の底部に台座が設けられたものでは、その台座により枠体の下端を受け止め、或いは枠体下端の下限位置を設定し、また芯柱体に対する枠体の装着に際しての位置合わせを容易にすることができる。
【図面の簡単な説明】
【図１】本発明の実施例に係る複合柱材の各構成部材を示すものであり、（Ａ）は芯柱体、（Ｂ）は枠体、（Ｃ）は外装体の各斜視図である。
【図２】図１に示す各構成部材を組み合わせて得られた複合柱材を示すものであり、（Ａ）は係合手段を通る面で切断した複合柱材の横断面図、（Ｂ）は枠体取外し用間隙と補助係合手段を通る面で切断した複合柱材の横断面図であり、背側面に装着可能な補助外装体の平面図を含んでいる。
【図３】外装体固定手段と補助係合手段を通る面で切断した複合柱材の、図２と同様の横断面図である。
【図４】図１（Ａ）に示す芯柱体の頂部に延設された高さ調節部材の拡大側面図である。
【符号の説明】
１　複合柱材
１０　芯柱体
１１　前側面
１２　横側面
１７　係合溝
２０　枠体
２１　係合突起
３０　外装体
【図１】
2004124561.tif 000003
【図２】
2004124561.tif 000004
【図３】
2004124561.tif 000005
【図４】
2004124561.tif 000006